(57)【要約】      （修正有）【訣題】被介護者がベッド本体から立った状態で容易に移動することができる介護用ベッドを提供する。【解決手段】介護用ベッドＰは、制御手段により第１の回転軸１１に螺合する第１の雌ネジ体２１及び第２の回転軸１２に螺合する第２の雌ネジ体２２が上昇するように第１、第２のモータを回転させると共に、第３の回転軸１３に螺合する第３の雌ネジ体２３及び第４の回転軸１４に螺合する第４の雌ネジ体２４が下降するように第３、第４のモータを回転させて、ベッド本体４を立ち上がるようにすることができる。【選択図】図１
0003153190.tif 000002
【実用新案登録請求の範囲】
【請求項１】
被介護者を支持する、平面視、略長方形のベッド本体と、
このベッド本体に設けられ、前記被介護者の足を支える足支持部材と、
ベースと、
このベースに支持されて立設する複数の支持部材と、
この複数の支持部材の上端で支持され、前記ベースの上方に位置する上方部材と、
前記ベースに設けられた正逆回転自在な第１、第２、第３、第４のモータと、
この第１、第２、第３、第４のモータは、平面視、前記ベッド本体の外側で、反時計回りに、前記第１のモータ、前記第２のモータ、前記第３のモータ、前記第４のモータの順に配列され、前記第１、第２、第３、第４のモータの内、前記第１のモータは、前記ベースに対して移動しないように取り付けられ、前記第２のモータ、前記第３のモータ、前記第４のモータは、前記ベースに対して移動自在に取り付けられ、
前記第１のモータにより回転し、前記ベースに対して立設すると共に、雄ねじを有する第１の回転軸と、
この第１の回転軸の雄ねじに螺合する雌ネジを有する第１の雌ネジ体と、
前記第２のモータにより回転し、前記ベースに対して立設すると共に、雄ねじを有する第２の回転軸と、
この第２の回転軸の雄ねじに螺合する雌ネジを有する第２の雌ネジ体と、
前記第３のモータにより回転し、前記ベースに対して立設すると共に、雄ねじを有する第３の回転軸と、
この第３の回転軸の雄ねじに螺合する雌ネジを有する第３の雌ネジ体と、
前記第４のモータにより回転し、前記ベースに対して立設すると共に、雄ねじを有する第４の回転軸と、
この第４の回転軸の雄ねじに螺合する雌ネジを有する第４の雌ネジ体と、
前記ベッド本体の４つのコーナー部の内の第１のコーナー部の側面と前記第１の雌ネジ体を接続すると共に、回動自在な回動部を有する第１の接続部材と、
前記ベッド本体の４つのコーナー部の内の第２のコーナー部の側面と前記第２の雌ネジ体を接続すると共に、回動自在な回動部を有する第２の接続部材と、
前記ベッド本体の４つのコーナー部の内の第３のコーナー部の側面と前記第３の雌ネジ体を接続すると共に、回動自在な回動部を有する第３の接続部材と、
前記ベッド本体の４つのコーナー部の内の第４のコーナー部の側面と前記第４の雌ネジ体を接続すると共に、回動自在な回動部を有する第４の接続部材と、
前記ベースの上に設けられ、前記第４のモータが前記第１のモータに向かう移動を案内する第１の案内通路と、
前記上方部材に設けられ、前記第４のモータが前記第１のモータに向かう移動に追随して前記第４の回転軸の移動を許容する第１の許容通路と、
前記ベースの上に設けられ、前記第３のモータが前記第２のモータに向かう移動を案内する第２の案内通路と、
前記上方部材に設けられ、前記第３のモータが前記第２のモータに向かう移動に追随して前記第３の回転軸の移動を許容する第２の許容通路と、
前記第１、第２、第３、第４のモータの正逆の回転方向及び回転数を制御する制御手段とを備え、
前記第１のコーナー部と前記第２のコーナー部との距離は、前記第１のコーナー部と前記第４のコーナー部との距離より短い
ことを特徴とする介護用ベッド。 
【請求項２】
ベースの上に設けられ、第２のモータが第１のモータに向かう移動を案内する第３の案内通路と、
上方部材に設けられ、前記第２のモータが前記第１のモータに向かう移動に追随して前記第２の回転軸の移動を許容する第３の許容通路と、
前記ベースの上に設けられ、第３のモータが第４のモータに向かう移動を案内する第４の案内通路と、
前記上方部材に設けられ、前記第３のモータが前記第４のモータに向かう移動に追随して前記第３の回転軸の移動を許容する第３の許容通路と、
を備えている
ことを特徴とする請求項１記載の介護用ベッド。 
【請求項３】
上方部材は、中央部が開口した枠状部材又中央部が開口しない板状部材である
ことを特徴とする請求項１記載の介護用ベッド。
【考案の詳細な説明】
【技術分野】
【０００１】
本考案は、介護用ベッドに係り、特に、被介護者がベッドから立った状態で容易に移動することができる介護用ベッドに関する。
【背景技術】
【０００２】
寝ている被介護者をベッドの長手方向から見て右側または左側に移動させるようにして、被介護者の床ずれを防止する介護用ベッドがある（例えば、特許文献１参照）。
また、寝ている被介護者の上半身を起こすことができる介護用ベッドがある（例えば、特許文献２参照）。
【先行技術文献】
【特許文献】
【０００３】
【特許文献１】特開２００２−１７７９２号公報
【特許文献２】特開２００１−２６９３７１号公報
【考案の概要】
【考案が解決しようとする課題】
【０００４】
しかしながら、特許文献１及び特許文献２記載の介護用ベッドの何れも、被介護者は、ベッドに腰をかけてからでないとベッドから離れることができないという問題点が生じた。
【０００５】
本考案は、上記の問題点を除去するように、ベッドに腰をかけないで被介護者がベッドから立った状態で容易に移動することができる介護用ベッドを提供することを目的とする。
【課題を解決するための手段】
【０００６】
請求項１記載の介護用ベッドは、被介護者を支持する、平面視、略長方形のベッド本体と、このベッド本体に設けられ、前記被介護者の足を支える足支持部材と、ベースと、このベースに支持されて立設する複数の支持部材と、この複数の支持部材の上端で支持され、前記ベースの上方に位置する上方部材と、前記ベースに設けられた正逆回転自在な第１、第２、第３、第４のモータと、この第１、第２、第３、第４のモータは、平面視、前記ベッド本体の外側で、反時計回りに、前記第１のモータ、前記第２のモータ、前記第３のモータ、前記第４のモータの順に配列され、前記第１、第２、第３、第４のモータの内、前記第１のモータは、前記ベースに対して移動しないように取り付けられ、前記第２のモータ、前記第３のモータ、前記第４のモータは、前記ベースに対して移動自在に取り付けられ、前記第１のモータにより回転し、前記ベースに対して立設すると共に、雄ねじを有する第１の回転軸と、この第１の回転軸の雄ねじに螺合する雌ネジを有する第１の雌ネジ体と、前記第２のモータにより回転し、前記ベースに対して立設すると共に、雄ねじを有する第２の回転軸と、この第２の回転軸の雄ねじに螺合する雌ネジを有する第２の雌ネジ体と、前記第３のモータにより回転し、前記ベースに対して立設すると共に、雄ねじを有する第３の回転軸と、この第３の回転軸の雄ねじに螺合する雌ネジを有する第３の雌ネジ体と、前記第４のモータにより回転し、前記ベースに対して立設すると共に、雄ねじを有する第４の回転軸と、この第４の回転軸の雄ねじに螺合する雌ネジを有する第４の雌ネジ体と、前記ベッド本体の４つのコーナー部の内の第１のコーナー部の側面と前記第１の雌ネジ体を接続すると共に、回動自在な回動部を有する第１の接続部材と、前記ベッド本体の４つのコーナー部の内の第２のコーナー部の側面と前記第２の雌ネジ体を接続すると共に、回動自在な回動部を有する第２の接続部材と、前記ベッド本体の４つのコーナー部の内の第３のコーナー部の側面と前記第３の雌ネジ体を接続すると共に、回動自在な回動部を有する第３の接続部材と、前記ベッド本体の４つのコーナー部の内の第４のコーナー部の側面と前記第４の雌ネジ体を接続すると共に、回動自在な回動部を有する第４の接続部材と、前記ベースの上に設けられ、前記第４のモータが前記第１のモータに向かう移動を案内する第１の案内通路と、前記上方部材に設けられ、前記第４のモータが前記第１のモータに向かう移動に追随して前記第４の回転軸の移動を許容する第１の許容通路と、前記ベースの上に設けられ、前記第３のモータが前記第２のモータに向かう移動を案内する第２の案内通路と、前記上方部材に設けられ、前記第３のモータが前記第２のモータに向かう移動に追随して前記第３の回転軸の移動を許容する第２の許容通路と、前記第１、第２、第３、第４のモータの正逆の回転方向及び回転数を制御する制御手段とを備え、前記第１のコーナー部と前記第２のコーナー部との距離は、前記第１のコーナー部と前記第４のコーナー部との距離より短いものである。
【０００７】
また、請求項２記載の介護用ベッドは、請求項１記載の介護用ベッドにおいて、ベースの上に設けられ、第２のモータが第１のモータに向かう移動を案内する第３の案内通路と、上方部材に設けられ、前記第２のモータが前記第１のモータに向かう移動に追随して前記第２の回転軸の移動を許容する第３の許容通路と、前記ベースの上に設けられ、第３のモータが第４のモータに向かう移動を案内する第４の案内通路と、前記上方部材に設けられ、前記第３のモータが前記第４のモータに向かう移動に追随して前記第３の回転軸の移動を許容する第３の許容通路とを備えているものである。
【０００８】
また、請求項３記載の介護用ベッドは、請求項１記載の介護用ベッドにおいて、上方部材は、中央部が開口した枠状部材又中央部が開口しない板状部材である。
【考案の効果】
【０００９】
請求項１記載の介護用ベッドによれば、制御手段により第１の回転軸に螺合する第１の雌ネジ体及び第２の回転軸に螺合する第２の雌ネジ体が上昇するように第１、第２のモータを回転させると共に、第３の回転軸に螺合する第３の雌ネジ体及び第４の回転軸に螺合する第４の雌ネジ体が下降するように第３、第４のモータを回転させるため、ベッド本体が立ち上がるため、被介護者がベッド本体に腰をかけないで、ベッド本体から立った状態で容易に移動することができる。
【００１０】
また、請求項２記載の介護用ベッドによれば、上述した請求項１記載の考案の効果に加え、制御手段により第１の回転軸に螺合する第１の雌ネジ体及び第４の回転軸に螺合する第４の雌ネジ体が上昇するように第１のモータ及び第４のモータを回転させ、逆に、制御手段により第１の雌ネジ体及び第４の雌ネジ体が下降するように第１のモータ及び第４のモータを回転させて、被介護者を左右に回動させて、被介護者の圧迫する部位を変化させるため、床ずれをも防止することができる。
【００１１】
また、請求項３記載の介護用ベッドによれば、上述した請求項１記載の考案の効果に加え、地震等の落下物を上方部材で防ぐことができ、被介護者を落下物から守ることができる等の効果を有する。
【図面の簡単な説明】
【００１２】
【図１】図１は、本考案の一実施例の介護用ベッドの一部を破断して示す概略的斜視図である。
【図２】図２は、図１の概略的正面図である。
【図３】図３は、図２の３−３線による概略的断面図である。
【図４】図４は、図２の４−４線による概略的断面図である。
【図５】図５は、図３の一部を拡大した概略的一部拡大断面図である。
【図６】図６は、図５の６−６線による概略的断面図である。
【図７】図７は、図４の７−７線による概略的断面図である。
【図８】図８は、図４の８−８線による概略的断面図である。
【図９】図９は、図１の介護用ベッドの使用状態の概略的正面図である。
【図１０】図１０は、図９のＤ方向から見た概略的図である。
【図１１】図１１は、図２の１１−１１線による概略的断面図である。
【図１２】図１２は、図８のＹ方向から見た状態の一部を分解して示す概略的一部分解斜視図である。
【図１３】図１３は、図１の第１の接続部材（第２の接続部材、第３の接続部材、第４の接続部材）を分解して示す概略的分解斜視図である。
【図１４】図１４は、図１のベッド本体に手すりを設けた概略的図である。
【図１５】図１５は、図１の介護用ベッドを制御する制御手段の制御系統を示す概略的図である。
【考案を実施するための形態】
【００１３】
本考案の一実施例の介護用ベッドを図面を参照して説明する。
図１に示すＰは介護用ベッドで、介護用ベッドＰは、ベース１と、このベース１の上方に位置する上方部材２と、ベース１に支持されて立設すると共に、上端で上方部材２を支持する複数の支持部材３、３、３、３と、被介護者を支持するベッド本体４とを有する。
なお、図１においては、図面の関係上、支持部材３の一部を中途で切断して図示している。
【００１４】
図４に示す５は、ベース１に設けられた正逆回転自在な第１のモータで、６は、ベース１に設けられた正逆回転自在な第２のモータで、７は、ベース１に設けられた正逆回転自在な第３のモータで、８は、ベース１に設けられた正逆回転自在な第４のモータである。
これら第１、第２、第３、第４のモータ５、６、７、８は、平面視、ベッド本体１の外側で、反時計回りに、第１のモータ５、第２のモータ６、第３のモータ７、第４のモータ８の順に配列されている（図４参照）。
そして、第１、第２、第３、第４のモータ５、６、７、８の内、第１のモータ５は、ベース１に対して取り付けられ（第１のモータ５は、台座５ａを介してベース１に固定されている。）、第２のモータ６、第３のモータ７、第４のモータ８は、ベース１に対して移動自在に取り付けられている。
また、図１に示す１１は、第１のモータ５により回転し、ベース１に対して立設すると共に、雄ねじを有する第１の回転軸で、２１は、第１の回転軸１１の雄ねじに螺合する雌ネジを有する第１の雌ネジ体である。
また、１２は、第２のモータ６により回転し、ベース１に対して立設すると共に、雄ねじを有する第２の回転軸で、２２は、第２の回転軸１２の雄ねじに螺合する雌ネジを有する第２の雌ネジ体である。
また、１３は、第３のモータ７により回転し、ベース１に対して立設すると共に、雄ねじを有する第３の回転軸で、２３は、第３の回転軸１３の雄ねじに螺合する雌ネジを有する第３の雌ネジ体である。
また、１４は、第４のモータ８により回転し、ベース１に対して立設すると共に、雄ねじを有する第４の回転軸で、２４は、第４の回転軸１４の雄ねじに螺合する雌ネジを有する第４の雌ネジ体である。
なお、第２、第３、第４のモータ６、７、８には、それぞれ台座６ａ、７ａ、８ａが設けられ、つまり、第２のモータ６は台座６ａに固定され、第３のモータ７は台座７ａに固定され、第４のモータ８は台座８ａに固定されている。そして、台座６ａの下部には回転自在な転動体６０が、台座７ａの下部には回転自在な転動体７０が、台座８ａの下部には回転自在な転動体８０が、それぞれ取り付けられている（図１５参照）。
【００１５】
また、３１は、図１３に示すように、ベッド本体４の４つのコーナー部４１、４２、４３、４４の内の第１のコーナー部４１の側面と第１の雌ネジ体２１を接続すると共に、回動自在な回動部３１ａを有する第１の接続部材である。
第１の接続部材３１は、第１のＵ字状部材Ｕ１を第１の雌ネジ体２１に取り付けた雄ねじＢに座金Ｚ、ナットＮを介して取り付け、第２のＵ字状部材Ｕ２を第１のコーナー部４１の側面に取り付けた雄ねじｂを介して取り付け、第１のＵ字状部材Ｕ１の穴Ｈ、Ｈと第２のＵ字状部材Ｕ２の穴ｈ、ｈとにピンＰｉを通すと共に、ピンＰｉの先端にストッパーＳを取り付けるようにしている。
【００１６】
また、３２は、図１３に示すように、ベッド本体４の４つのコーナー部４１、４２、４３、４４の内の第２のコーナー部４２の側面と第２の雌ネジ体２２を接続すると共に、回動自在な回動部３２ａを有する第２の接続部材である。
第２の接続部材３２は、第１の接続部材３１と同様に、第１のＵ字状部材Ｕ１を第２の雌ネジ体２２に取り付けた雄ねじＢに座金Ｚ、ナットＮを介して取り付け、第２のＵ字状部材Ｕ２を第２のコーナー部４２の側面に取り付けた雄ねじｂを介して取り付け、第１のＵ字状部材Ｕ１の穴Ｈ、Ｈと第２のＵ字状部材Ｕ２の穴ｈ、ｈとにピンＰｉを通すと共に、ピンＰｉの先端にストッパーＳを取り付けるようにしている。
【００１７】
また、３３は、図１３に示すように、ベッド本体４の４つのコーナー部４１、４２、４３、４４の内の第３のコーナー部４３の側面と第３の雌ネジ体２３を接続すると共に、回動自在な回動部３３ａを有する第３の接続部材である。
第３の接続部材３３は、第１の接続部材３１と同様に、第１のＵ字状部材Ｕ１を第３の雌ネジ体２３に取り付けた雄ねじＢに座金Ｚ、ナットＮを介して取り付け、第２のＵ字状部材Ｕ２を第３のコーナー部４３の側面に取り付けた雄ねじｂを介して取り付け、第１のＵ字状部材Ｕ１の穴Ｈ、Ｈと第２のＵ字状部材Ｕ２の穴ｈ、ｈとにピンＰｉを通すと共に、ピンＰｉの先端にストッパーＳを取り付けるようにしている。
【００１８】
また、３４は、図１３に示すように、ベッド本体４の４つのコーナー部４１、４２、４３、４４の内の第４のコーナー部４４の側面と第４の雌ネジ体２４を接続すると共に、回動自在な回動部３４ａを有する第４の接続部材である。
第４の接続部材３４は、第１の接続部材３１と同様に、第１のＵ字状部材Ｕ１を第４の雌ネジ体２４に取り付けた雄ねじＢに座金Ｚ、ナットＮを介して取り付け、第２のＵ字状部材Ｕ２を第４のコーナー部４４の側面に取り付けた雄ねじｂを介して取り付け、第１のＵ字状部材Ｕ１の穴Ｈ、Ｈと第２のＵ字状部材Ｕ２の穴ｈ、ｈとにピンＰｉを通すと共に、ピンＰｉの先端にストッパーＳを取り付けるようにしている。
【００１９】
また、上述したベッド本体４は、図３に示すように、平面視、略長方形で、第１のコーナー部４１と第２のコーナー部４２との距離Ｘ（第３のコーナー部４３と第４のコーナー部４４との距離Ｘ）は、第１のコーナー部４１と第４のコーナー部４４との距離Ｙ（第２のコーナー部４２と第３のコーナー部４３との距離Ｙ）より短いものとなっている。
４５は、ベッド本体４に設けられた足支持部材で、足支持部材４５は、被介護者の足を支えるもので、モーター４７の回転軸４６により長さ調整が可能なものとなっている。
また、図１４に示す４８は、手すりである。
【００２０】
また、図４に示す６１は、ベース１の上に設けられ、第４のモータ８が第１のモータ５に向かう移動を案内する両側に壁６１ａ、６１ａを有する第１の案内通路で、第１の案内通路６１は、第１の案内通路６１の両側の壁６１ａ、６１ａにより、台座８ａが第４の回転軸１４と共につれ回りしないように、台座８ａの回動を規制している。
また、図１１に示す７１は、上方部材２に設けられ、第４のモータ８が第１のモータ５に向かう移動に追随して第４の回転軸１４の移動を許容する第１の許容通路で、第１の案内通路６１に対応するものである。第１の許容通路７１の上にワッシャＷを介して第４の回転軸１４にボルトＶで取り付けられている。
【００２１】
また、図４に示す６２は、ベース１の上に設けられ、第３のモータ７が第２のモータ６に向かう移動を案内する両側に壁６２ａ、６２ａを有する第２の案内通路で、第２の案内通路６２は、第２の案内通路６２の両側の壁６２ａ、６２ａにより、台座７ａが第３の回転軸１３と共につれ回りしないように、台座７ａの回動を規制している。
また、図１１に示す７２は、上方部材２に設けられ、第３のモータ７が第２のモータ６に向かう移動に追随して第３の回転軸１３の移動を許容する第２の許容通路で、第２の案内通路６２に対応するものである。第２の許容通路７２の上にワッシャＷを介して第３の回転軸１３にボルトＶで取り付けられている。
【００２２】
また、図４に示す６３は、ベース１の上に設けられ、第２のモータ６が第１のモータ５に向かう移動を案内する両側に壁６３ａ、６３ａを有する第３の案内通路で、第３の案内通路６３は、第３の案内通路６３の両側の壁６３ａ、６３ａにより、台座６ａが第２の回転軸１２と共につれ回りしないように、台座６ａの回動を規制している。
また、図１１に示す７３は、上方部材２に設けられ、第２のモータ６が第１のモータ５に向かう移動に追随して第２の回転軸１２の移動を許容する第３の許容通路で、第３の案内通路６３に対応するものである。第３の許容通路７３の上にワッシャＷを介して第２の回転軸１２にボルトＶで取り付けられている。
【００２３】
また、図４に示す６４は、ベース１の上に設けられ、第３のモータ７が第４のモータ８に向かう移動を案内する両側に壁６４ａ、６４ａを有する第４の案内通路で、第４の案内通路６４と第２の案内通路６２とは連通している。第４の案内通路６４は、第４の案内通路６４の両側の壁６４ａ、６４ａにより、台座７ａが第３の回転軸１３と共につれ回りしないように、台座６ａの回動を規制している。
また、図１１に示す７４は、上方部材２に設けられ、第３のモータ７が第４のモータ８に向かう移動に追随して第３の回転軸１３の移動を許容する第４の許容通路で、第４の案内通路６４に対応するものである。第４の許容通路７４と第２の許容通路７２とは連通している。
そして、第１、第２、第３、第４のモータ５、６、７、８及びモータ４７の正逆の回転方向、回転数（停止含む）は、制御手段１００により制御される。
【００２４】
従って、例えば、制御手段１００により第１、第２、第３、第４のモータ５、６、７、８を個々に制御して、ベッド本体４を水平状態にする。そして、制御手段１００により第１、第２、第３、第４のモータ５、６、７、８を同期させて、回転させれば、水平状態のベッド本体４を適宜の高さ位置に調整することができる（図２参照）。
また、制御手段１００により第１の回転軸１１に螺合する第１の雌ネジ体２１及び第２の回転軸１２に螺合する第２の雌ネジ体２２が上昇するように第１、第２のモータ５、６を回転させると共に、第３の回転軸１３に螺合する第３の雌ネジ体２３及び第４の回転軸１４に螺合する第４の雌ネジ体２４が下降するように第３、第４のモータ７、８を回転させれば、被介護者の頭が足より高い位置になるようにベッド本体４が立ち上がる（図９参照）。その結果、被介護者がベッド本体４から立った状態で移動することができる。
【００２５】
また、ベッド本体４から立った状態から、制御手段１００により第１の回転軸１１に螺合する第１の雌ネジ体２１及び第２の回転軸１２に螺合する第２の雌ネジ体２２が下降するように第１、第２のモータ５、６を回転させると共に、第３の回転軸１３に螺合する第３の雌ネジ体２３及び第４の回転軸１４に螺合する第４の雌ネジ体２４が上昇するように第３、第４のモータ７、８を回転させて、ベッド本体４が水平方向になるように調整す。その後、制御手段１００により第１の回転軸１１に螺合する第１の雌ネジ体２１及び第４の回転軸１４に螺合する第４の雌ネジ体２４が上昇するように第１のモータ５及び第４のモータ８を回転させ（図１２の二点鎖線のベッド本体４参照）、
逆に、図示しないが、制御手段１００により第１の雌ネジ体２１及び第４の雌ネジ体２４が下降するように第１のモータ５及び第４のモータ８を回転させて、被介護者を左右に回動させて、被介護者の圧迫する部位を変化させて、床ずれをも防止することができる。
【符号の説明】
【００２６】
Ｐ      介護用ベッド
４      ベッド本体
５      第１のモータ
６      第２のモータ
７      第３のモータ
８      第４のモータ
１１    第１の回転軸
１２    第２の回転軸
１３    第３の回転軸
１４    第４の回転軸
２１    第１の雌ネジ体
２２    第２の雌ネジ体
２３    第３の雌ネジ体
２４    第４の雌ネジ体
１００  制御手段
【図１】
0003153190.tif 000003
【図２】
0003153190.tif 000004
【図３】
0003153190.tif 000005
【図４】
0003153190.tif 000006
【図５】
0003153190.tif 000007
【図６】
0003153190.tif 000008
【図７】
0003153190.tif 000009
【図８】
0003153190.tif 000010
【図９】
0003153190.tif 000011
【図１０】
0003153190.tif 000012
【図１１】
0003153190.tif 000013
【図１２】
0003153190.tif 000014
【図１３】
0003153190.tif 000015
【図１４】
0003153190.tif 000016
【図１５】
0003153190.tif 000017